(57)【要約】【課題】電力消費を抑制することができる電子機器を提供する。【解決手段】投映部３８と、表示部２２と、前記投映部による画像の投映中に、操作部２６に対して投映に関係しない操作が行われた場合、前記投映部による前記画像の投映を終了し、前記表示部において所定の表示を開始する制御部２５とを備える。【選択図】図３
2011023871.tif 000002
【特許請求の範囲】
【請求項１】
投映部と、
表示部と、
前記投映部による画像の投映中に、操作部に対して投映に関係しない操作が行われた場合、前記投映部による前記画像の投映を終了し、前記表示部において所定の表示を開始する制御部と
を備えることを特徴とする電子機器。
【請求項２】
投映部と、
表示部と、
外部機器との間で通信を行う通信部と、
前記投映部により、前記通信部を介して前記外部機器から取得した画像の投映中に、操作部に対して投映に関係しない操作が行われた場合、前記通信部による前記外部機器からの前記画像の取得を維持した状態で、前記投映部による前記画像の投映を終了し、前記表示部において所定の表示を開始する制御部と
を備えることを特徴とする電子機器。
【請求項３】
前記制御部は、前記操作が投映に関係しない操作か否かを判定し、前記投映に関係しない操作であると判定した場合、前記投映部による前記画像の投映を終了し、前記表示部において所定の表示を開始することを特徴とする請求項１記載の電子機器。
【請求項４】
前記投映に関係しない操作は、メニュー画面を前記表示部に表示させる操作であることを特徴とする請求項１または３記載の電子機器。
【請求項５】
前記表示部に前記所定の表示が行われている際、再度前記投映に関係しない操作が行われた場合、前記所定の表示を行う前に前記投映部により投映されていた前記画像の投映を再開することを特徴とする請求項１、３及び４の何れか一項に記載の電子機器。
【請求項６】
前記制御部は、前記操作が投映に関係しない操作か否かを判定し、前記投映に関係しない操作であると判定した場合、前記投映部による前記画像の投映を終了し、前記表示部において所定の表示を開始することを特徴とする請求項２記載の電子機器。
【請求項７】
前記投映に関係しない操作は、メニュー画面を前記表示部に表示させる操作であることを特徴とする請求項２または６に記載の電子機器。
【請求項８】
前記通信部及び前記外部機器は、ＵＳＢ接続により通信を行うことを特徴とする請求項２、６及び７の何れか一項に記載の電子機器。
【請求項９】
被写体を撮像する撮像部を更に備えることを特徴とする請求項１〜８の何れか一項に記載の電子機器。
【発明の詳細な説明】
【技術分野】
【０００１】
本発明は、電子機器に関するものである。
【背景技術】
【０００２】
プロジェクタを備えた電子機器が知られている（例えば、特許文献１参照）。
【先行技術文献】
【特許文献】
【０００３】
【特許文献１】特開２００５−２５０３９２号公報
【発明の概要】
【発明が解決しようとする課題】
【０００４】
ところで、上述のプロジェクタを備えた電子機器においては、照明の光源に白色ＬＥＤ等を使用するため電力消費が大きかった。
【０００５】
本発明の目的は、電力消費を抑制することができる電子機器を提供することである。
【課題を解決するための手段】
【０００６】
本発明の電子機器は、投映部と、表示部と、前記投映部による画像の投映中に、操作部に対して投映に関係しない操作が行われた場合、前記投映部による前記画像の投映を終了し、前記表示部において所定の表示を開始する制御部とを備えることを特徴とする。
【０００７】
本発明の電子機器は、投映部と、表示部と、外部機器との間で通信を行う通信部と、前記投映部により、前記通信部を介して前記外部機器から取得した画像の投映中に、操作部に対して投映に関係しない操作が行われた場合、前記通信部による前記外部機器からの前記画像の取得を維持した状態で、前記投映部による前記画像の投映を終了し、前記表示部において所定の表示を開始する制御部とを備えることを特徴とする。
【発明の効果】
【０００８】
本発明の電子機器によれば、電力消費を抑制することができる。
【図面の簡単な説明】
【０００９】
【図１】本発明の第１の実施の形態に係るデジタルカメラの前面を示す斜視図である。
【図２】本発明の第１の実施の形態に係るデジタルカメラの背面を示す図である。
【図３】本発明の第１の実施の形態に係るデジタルカメラのシステム構成を示すブロック図である。
【図４】本発明の第１の実施の形態に係るデジタルカメラの処理を示すフローチャートである。
【図５】本発明の第２の実施の形態に係るデジタルカメラを含むカメラシステムの構成を示す図である。
【図６】本発明の第２の実施の形態に係るデジタルカメラの処理を示すフローチャートである。
【発明を実施するための形態】
【００１０】
以下、図面を参照して本発明の第１の実施の形態に係る電子機器について投映ユニットを備えたデジタルカメラを例に説明する。図１は、第１の実施の形態に係るデジタルカメラの前面を示す斜視図である。デジタルカメラ２は、筐体４を備え、筐体４の前面には、被写体光を入射させる撮像窓１０、画像を投映する投映窓１２、被写体を照射する光を射出するフラッシュ窓１４が設けられている。また、筐体４の上面には、電源スイッチ１６、レリーズ指示を行うレリーズボタン１８、被写体光の撮像を行う撮像モードと画像の投映を行う投映モードを切換えるＰＪボタン２０が設けられている。
【００１１】
図２は、第１の実施の形態に係るデジタルカメラの背面を示す図である。筐体４の背面には、撮像された画像、メニュー画面等を表示するＬＣＤ表示部２２、ＬＣＤ表示部２２に表示されたメニュー画面の項目の選択等を行うマルチセレクタ２３、メニュー画面の表示を指示するメニューボタン２４等が設けられている。
【００１２】
図３は、第１の実施の形態に係るデジタルカメラのシステム構成を示すブロック図である。デジタルカメラ２は、ＣＰＵ２５を備え、ＣＰＵ２５には、電源スイッチ１６、レリーズボタン１８、ＰＪボタン２０、メニューボタン２４等を備える操作部２６、ＬＣＤ表示部２２の表示を制御する表示制御部２８、撮影レンズを介した被写体光を撮像して撮像信号を生成するＣＭＯＳ、ＣＣＤ等により構成される撮像素子３０、撮像素子３０から出力された撮像信号を図示しないＡ／Ｄ変換部においてＡ／Ｄ変換することにより生成された画像データを記憶する画像記憶部３２、撮像、投映等に関する設定、制御を行うためのプログラムを格納するプログラム記憶部３４、撮像された画像データ等を記憶するメモリカード３６、画像記憶部３２やメモリカード３６に記憶された画像データに基づく画像を投映する投映ユニット３８が接続されている。ここで、投映ユニット３８は、光源であるＬＥＤ４６の点灯及び消灯を行う電源制御部４８、投映する画像を表示するＬＣＯＳ５０の表示制御を行う投映制御部５２を備えている。
【００１３】
次に、図４に示すフローチャートを参照して第１の実施の形態に係るデジタルカメラ２における処理について説明する。操作者によりＰＪボタン２０が押下されると、被写体の撮像を行う撮像モードから投映ユニット３８により画像の投映を行う投映モードに切換えられる（ステップＳ１１）。投映モードに切換えられると、ＣＰＵ２５は投映ユニット３８に投映開始の指示を行い、電源制御部４８はＬＥＤ４６を点灯する。そして、投映制御部５２は、メモリカード３６からマルチセレクタ２３等の操作により操作者により選択された投映画像の画像データを読み出してＬＣＯＳ５０に表示し、投映画像の投映を行う（ステップＳ１３）。
【００１４】
次に、画像の投映中にメニューボタン２４が押下されると（ステップＳ１５）、投映を再開した時にメニューボタン２４を押下したときに投映していた画像を投映することができるように、投映中の画像の画像情報を画像記憶部３２に記憶する（ステップＳ１７）。一方、メニューボタン２４が押下されなければ投映ユニット３８による投映が継続される（ステップＳ１３）。画像記憶部３２に画像情報を記憶した場合、ＣＰＵ２５は投映ユニット３８に対して投映停止の指示を行い、投映ユニット３８による投映を停止する（ステップＳ１９）。次に、ＣＰＵ２５は、プログラム記憶部３４に記憶されているメニュー画面の画像データを読み出し、メニュー画面の画像をＬＣＤ表示部２２に表示する（ステップＳ２１）。これにより、操作者はＬＣＤ表示部２２に表示されているメニュー画面に基づいて、投映画像の画質調整、即ち輪郭強調、コントラスト調整等のメニュー操作を行う（ステップＳ２３）。
【００１５】
次に、ＬＣＤ表示部２２にメニュー画面が表示されている状態で、再度メニューボタン２４が押下されると、ＣＰＵ２５は投映ユニット３８により投映する画像の準備を行う。即ち、画像記憶部３２に記憶されている画像情報に基づいてメモリカード３６から画像データを読み出す（ステップＳ２７）。そして、投映ユニット３８によりメニューボタン２４を押下したときに投映していた画像の投映が再開される（ステップＳ２９）。一方、メニューボタン２４が押下されなければＬＣＤ表示部２２においてメニュー画面の表示が継続される（ステップＳ２１）。
【００１６】
この第１の実施の形態に係るデジタルカメラ２によれば、ＬＣＤ表示部２２によるメニュー画面の表示中において投映ユニット３８による投映を停止することにより、電力消費を抑制することができる。また、ＬＣＤ表示部２２にメニュー画面を表示することにより、投映ユニット３８によりメニュー画面を投映する場合に比較して鮮明な画像によりメニュー画面の表示を行うことができる。
【００１７】
次に、図面を参照して本発明の第２の実施の形態に係るデジタルカメラを含むカメラシステムについて説明する。この第２の実施の形態に係るカメラシステムのデジタルカメラ２００は、通信機能を有する外部機器であるパソコン６０と接続され、パソコン６０から取得した画像データに基づく画像を投映するものである。従って、第１の実施の形態と同一の構成についての詳細な説明は省略し、異なる部分のみについて詳細に説明する。また、第１の実施の形態と同一の構成には同一の符号を付して説明する。
【００１８】
図５はデジタルカメラ２００を含むカメラシステムの構成を示す図である。デジタルカメラ２００はＵＳＢ端子５４を有し、ＵＳＢケーブル５６を介してパソコン６０との通信を行う。デジタルカメラ２００は、パソコン６０との通信によりパソコン６０の画面６２に表示される画像の画像データを受信し、画像データに基づく画像を投映ユニット３８により投映する。
【００１９】
次に、図６に示すフローチャートを参照してデジタルカメラ２００を含むカメラシステムにおける処理について説明する。ＵＳＢケーブル５６を介してデジタルカメラ２００とパソコン６０とが接続され、デジタルカメラを投映モードに設定した状態でデジタルカメラ２００とパソコン６０との間で通信が開始されると（ステップＳ４３）、パソコン６０は画面６２に表示されている画像の画像データをキャプチャーし、３０ｆｐｓでＵＳＢケーブル５６を介してデジタルカメラ２００に送信する。デジタルカメラ２００はパソコン６０から送信された画像データを受信する（ステップＳ４５）。次に、ＣＰＵ２５は、投映ユニット３８に対して投映開始の指示を行い、投映ユニット３８は受信した画像データに基づく画像の投映を行う（ステップＳ４７）。
【００２０】
次に、投映中にメニューボタン２４が押下されると（ステップＳ４９）、ＣＰＵ２５は投映ユニット３８に投映停止の指示を行い、投映ユニット３８による投映を停止する（ステップＳ５１）。一方、メニューボタン２４が押下されなければ、投映ユニット３８による投映を継続する（ステップＳ４７）。投映ユニット３８による投映が停止されると、ＣＰＵ２５はパソコン６０から送信される画像データの受信を維持した状態で（ステップＳ５３）、メニュー画面の画像をＬＣＤ表示部２２に表示する（ステップＳ５５）。なお、受信した画像データは記憶されることなく破棄される（ステップＳ５３）。これにより、操作者はＬＣＤ表示部２２に表示されているメニュー画面に基づいて、投映画像の画質調整、即ち輪郭強調、コントラスト調整等のメニュー操作を行う（ステップＳ５７）。
【００２１】
次に、ＬＣＤ表示部２２にメニュー画面が表示されている状態で、再度メニューボタン２４が押下されると（ステップＳ５９）、投映ユニット３８による投映が再開され、パソコン６０から受信する新たな画像データに基づく画像の投映を行う（ステップＳ６１）。一方、再度メニューボタン２４が押下されなければＬＣＤ表示部２２にメニュー画面の表示が継続される（ステップＳ５３）。
【００２２】
この第２の実施の形態に係るデジタルカメラ２００を含むカメラシステムによれば、ＬＣＤ表示部２２によるメニュー画面の表示中において投映ユニット３８による投映を停止することにより、電力消費を抑制することができる。また、ＬＣＤ表示部２２にメニュー画面を表示することにより、投映ユニット３８によりメニュー画面を投映する場合に比較して鮮明な画像によりメニュー画面の表示を行うことができる。また、パソコン６０との間の通信を切断することなく、ＬＣＤ表示部２２に表示されているメニュー画面に基づいてメニュー操作を行うことができる。
【００２３】
なお、第１、第２の実施の形態においては、投映に直接関係しない操作としてメニューボタン２４の操作を例として説明しているが、投映に直接関係しない操作には、スライドショーの画像選択操作等も含まれる。
【００２４】
また、第１の実施の形態においては、メニューボタン２４が押下された後に投映中の画像の画像情報を画像記憶部３２に記憶しているが、画像データを画像記憶部３２に記憶してもよい。これにより、投映再開時に投映する画像を直接画像記憶部３２から読み出すことができる。
【００２５】
また、第２の実施の形態においては、ＵＳＢケーブル５６を介してデジタルカメラ２００とパソコン６０との間の通信を行っているが、ワイヤレスＵＳＢ通信を用いてもよく、またＵＳＢ通信以外の他の通信手段を用いてもよい。これにより、パソコン６０と離れている場合でもデジタルカメラ２００はパソコン６０から画像データを取得できる。
【００２６】
また、第１、第２の実施の形態においては、ＬＣＤ表示部２２にメニュー画面が表示されている状態で、再度メニューボタン２４が押下されると、投映ユニット３８による投映が再開されるが、メニューボタン２４ではなく、ＰＪボタン２０が押下されたときに投映ユニット３８による投映が再開されるようにしてもよい。
【００２７】
また、上述の各実施の形態においては、電子機器として撮像機能を有するデジタルカメラ２、２００を例に説明したが、撮像機能を備えていないプロジェクタにおいても本発明を適用することができる。
【符号の説明】
【００２８】
２、２００…デジタルカメラ、４…筐体、１０…撮像窓、１２…投映窓、１４…フラッシュ窓、１６…電源スイッチ、１８…レリーズボタン、２０…ＰＪボタン。
【図１】
2011023871.tif 000003
【図２】
2011023871.tif 000004
【図３】
2011023871.tif 000005
【図４】
2011023871.tif 000006
【図５】
2011023871.tif 000007
【図６】
2011023871.tif 000008